(57)【要約】Ｈ３２３Ｄ機能を装備していないＶｏＩＰ端末でのファクシミリ通信を可能にする簡易なＶｏＩＰ端末及びその通信方法を提供する。ファクシミリ／電話端末１２からの発呼要求に続いてＣＮＧ信号が送出されたか否かを判定する。ＣＮＧ信号が検出された場合には、あらかじめ装備された複数のオーディオＣＯＤＥＣからＧ．７１１のみを選択してＣＯＤＥＣリストを作成し、相手先への発呼要求に含めて送信する。
2003081897.tif 000002
【特許請求の範囲】
【請求項１】
ＩＰ（Ｉｎｔｅｒｎｅｔ  Ｐｒｏｔｏｃｏｌ）ネットワークで音声を送信するＶｏＩＰ（ＶｏＩＰ（Ｖｏｉｃｅ  ｏｖｅｒ  ＩＰ）上で通信可能なＶｏＩＰ端末において、
接続された通信機器からのＣＮＧ信号の有無を検出するＣＮＧ信号検出手段と、
前記ＣＮＧ信号の有無に従って、発呼要求の際に相手先へ提示するオーディオ能力リストを変更する能力リスト変更手段と、
を有することを特徴とするＶｏＩＰ端末。
【請求項２】
ＩＰ（Ｉｎｔｅｒｎｅｔ  Ｐｒｏｔｏｃｏｌ）ネットワークで音声を送信するＶｏＩＰ（Ｖｏｉｃｅ  ｏｖｅｒ  ＩＰ）上で通信可能なＶｏＩＰ端末において、
通信機器を接続するためのコネクタと、
あらかじめ装備された複数のオーディオコーデックと、
前記通信機器からのＣＮＧ信号を検出するＣＮＧ信号検出手段と、
前記ＣＮＧ信号が検出された場合には前記複数のオーディオコーデックから所定のコーデックを選択してオーディオコーデックリストを作成するコーデックリスト作成手段と、
相手先へ発呼要求をするときに前記オーディオコーデックリストを含めて送信する発呼手段と、
を有することを特徴とするＶｏＩＰ端末。
【請求項３】
前記コーデックリスト作成手段は、前記ＣＮＧ信号が検出されなかった場合には前記複数のオーディオコーデックから任意に選択して前記オーディオコーデックリストを作成する、ことを特徴とする請求項２記載のＶｏＩＰ端末。
【請求項４】
前記複数のオーディオコーデックには、少なくともＧ．７１１プロトコルが含まれ、前記ＣＮＧ信号が検出された場合に選択される前記所定のコーデックはＧ．７１１である、ことを特徴とする請求項２または３に記載のＶｏＩＰ端末。
【請求項５】
ＩＰ（Ｉｎｔｅｒｎｅｔ  Ｐｒｏｔｏｃｏｌ）ネットワークで音声を送信するＶｏＩＰ（Ｖｏｉｃｅ  ｏｖｅｒ  ＩＰ）上で通信可能なＶｏＩＰ端末における通信方法において、
接続された通信機器からの発呼要求に続いてＣＮＧ信号が入力されたか否かを検出し、
前記ＣＮＧ信号の有無に従って、相手先へ発呼要求する際に相手先へ提示するオーディオ能力リストを変更する、
ことを特徴とするＶｏＩＰ端末における通信方法。
【請求項６】
ＩＰ（Ｉｎｔｅｒｎｅｔ  Ｐｒｏｔｏｃｏｌ）ネットワークで音声を送信するＶｏＩＰ（Ｖｏｉｃｅ  ｏｖｅｒ  ＩＰ）上で通信可能なＶｏＩＰ端末における通信方法において、
複数のオーディオコーデックをあらかじめ用意し、
接続された通信機器からの発呼要求に続いてＣＮＧ信号を検出するか否かを判定し、
前記ＣＮＧ信号が検出された場合には前記複数のオーディオコーデックから所定のコーデックを選択し、
相手先へ発呼要求をするときに前記選択された所定コーデックのみを含めて送信する、
ことを特徴とするＶｏＩＰ端末における通信方法。
【請求項７】
前記ＣＮＧ信号が検出されなかった場合には、前記複数のオーディオコーデックから任意に選択し、相手先へ発呼要求をするときに前記選択された全てのオーディオコーデックを含めて送信する、ことを特徴とする請求項６記載のＶｏＩＰ端末における通信方法。
【請求項８】
前記複数のオーディオコーデックには、少なくともＧ．７１１プロトコルが含まれ、前記ＣＮＧ信号が検出された場合に選択される前記所定のコーデックはＧ．７１１である、ことを特徴とする請求項６または７に記載のＶｏＩＰ端末における通信方法。
【請求項９】
コンピュータに、ＩＰ（Ｉｎｔｅｒｎｅｔ  Ｐｒｏｔｏｃｏｌ）ネットワークで音声を送信するＶｏＩＰ（Ｖｏｉｃｅ  ｏｖｅｒ  ＩＰ）上での通信動作を実行させるコンピュータプログラムにおいて、
端末からの発呼要求に続いてＣＮＧ信号を検出するか否かを判定するステップと、
前記ＣＮＧ信号が検出された場合には、あらかじめ装備された複数のオーディオコーデックから所定のコーデックを選択するステップと、
相手先へ発呼要求をするときに前記選択された所定コーデックのみを含めて送信するステップと、
を有することを特徴とするＶｏＩＰ端末用コンピュータプログラム。
【請求項１０】
前記ＣＮＧ信号が検出されなかった場合には、前記複数のオーディオコーデックから任意に選択し、相手先へ発呼要求をするときに前記選択された全てのオーディオコーデックを含めて送信する、ことを特徴とする請求項９記載のＶｏＩＰ端末用コンピュータプログラム。
【請求項１１】
前記複数のオーディオコーデックには、少なくともＧ．７１１プロトコルが含まれ、前記ＣＮＧ信号が検出された場合に選択される前記所定のコーデックはＧ．７１１である、ことを特徴とする請求項９または１０に記載のＶｏＩＰ端末用コンピュータプログラム。
【発明の詳細な説明】
技術分野
本発明はパケットネットワークでファクシミリ通信を実現するためのシステムに係り、特にＩＰ（Ｉｎｔｅｒｎｅｔ  Ｐｒｏｔｏｃｏｌ）ネットワークで音声を送信するＶｏＩＰ（Ｖｏｉｃｅ  ｏｖｅｒ  ＩＰ）上でファクシミリ通信を実現するＶｏＩＰ端末およびその通信方法に関する。
背景技術
ＩＰネットワークの進展によりＶｏＩＰ技術はネットワーク通信の重要な要素となりつつある。これに伴って、従来の公衆電話網で一般的となっているファクシミリ通信をＶｏＩＰ上で同様に実現することが強く望まれている。現在、ＩＰネットワーク上でリアルタイムファクシミリ通信を行うには、ＴＴＣ標準Ｈ３２３付属資料Ｄの手順をサポートする端末（以下、Ｈ３２３Ｄ端末という。）が必要である。
ＴＴＣ標準Ｈ３２３付属資料Ｄによれば、Ｔ３８パケットを送信するためのチャネル開設時に、Ｈ３２３Ｄ端末は、送信側及び受信側の能力に依存した音声用の論理チャネルと、Ｔ３８パケットを転送するための２つの論理チャネル（受信側から送信側、及び、送信側から受信側）からなるファクシミリチャネルと、を開設し、それぞれ異なった回線及び帯域で通信を行う。
一方、ＴＴＣ標準Ｈ３２３付属資料Ｆには、シンプル・エンドポイント・タイプの概念が導入されている。特に、Ｈ３２３プロトコルのサブセットを用いて限定された機能のＩＰ電話アプリケーションに適合したオーディオ通信用のシンプル・エンドポイント・タイプが定義されている。以下、ＴＴＣ標準Ｈ３２３付属資料Ｆに定義されるような、Ｈ３２３Ｄ機能を装備していないシンプル・オーディオ・エンドポイント・タイプに準拠した端末をＨ３２３Ｆ端末という。
Ｈ３２３Ｆ端末には、音声能力としてＧ．７１１（Ａ則、μ則、５６ｋｂｉｔ／ｓ、６４ｋｂｉｔ／ｓ）、Ｇ７２３．１、Ｇ７２９ａ（８ｋｂｐｓ）などのコーデックがサポートされる。また、Ｈ３２３Ｆ端末では、Ｈ３２３Ｄ端末とは異なり、通信時には１チャネルだけが開設される。
上述したように、現在のところ、Ｈ３２３Ｄ端末によりＩＰネットワーク上でのファクシミリ通信を実現することができる。しかしながら、このファクシミリ通信は、同じＨ３２３Ｄ機能を装備した端末間でのみ実行することができ、相手が例えばＨ３２３Ｆ端末の場合には実行することができない。
また、ＴＴＣ標準Ｈ３２３付属資料Ｆにおいても、Ｈ３２３Ｆ端末によるファクシミリ通信は検討課題として挙げられているだけである。
そこで、本発明の目的は、Ｈ３２３Ｄ機能を装備していない端末でのファクシミリ通信を可能にする簡易なＶｏＩＰ端末及びその制御方法を提供することにある。
発明の開示
本発明によるＶｏＩＰ端末は、通信機器からのＣＮＧ信号の有無に従って、発呼要求の際に相手先へ提示するオーディオ能力リストを変更することにより、たとえばＨ３２３Ｄ機能を装備していないＨ３２３Ｆ端末でのファクシミリ通信を可能にする。
本発明の第１の観点によれば、ＩＰ（Ｉｎｔｅｒｎｅｔ  Ｐｒｏｔｏｃｏｌ）ネットワークで音声を送信するＶｏＩＰ（Ｖｏｉｃｅ  ｏｖｅｒ  ＩＰ）上で通信可能なＶｏＩＰ端末において、接続された通信機器からのＣＮＧ信号の有無を検出するＣＮＧ信号検出手段と、前記ＣＮＧ信号の有無に従って、発呼要求の際に相手先へ提示するオーディオ能力リストを変更する能力リスト変更手段と、を有することを特徴とする。
前記コーデックリスト作成手段は、前記ＣＮＧ信号が検出されなかった場合には前記複数のオーディオコーデックから任意に選択して前記オーディオコーデックリストを作成することができる。前記複数のオーディオコーデックには、少なくとも必須のオーディオ能力が含まれることが望ましい。ここではＧ．７１１プロトコルが含まれ、前記ＣＮＧ信号が検出された場合に選択される前記所定のコーデックはＧ．７１１である、ことが望ましい。
本発明の第２の観点によれば、ＩＰ（Ｉｎｔｅｒｎｅｔ  Ｐｒｏｔｏｃｏｌ）ネットワークで音声を送信するＶｏＩＰ（Ｖｏｉｃｅ  ｏｖｅｒ  ＩＰ）上で通信可能なＶｏＩＰ端末における通信方法において、接続された通信機器からの発呼要求に続いてＣＮＧ信号が入力されたか否かを検出し、前記ＣＮＧ信号の有無に従って、相手先へ発呼要求する際に相手先へ提示するオーディオ能力リストを変更する、ことを特徴とする。
さらに、本発明の第３の観点によれば、コンピュータに、パケットネットワーク上でファクシミリ通信動作を実行させるためのコンピュータプログラムにおいて、端末からの発呼要求に続いてＣコンピュータに、ＩＰ（Ｉｎｔｅｒｎｅｔ  Ｐｒｏｔｏｃｏｌ）ネットワークで音声を送信するＶｏＩＰ（Ｖｏｉｃｅ  ｏｖｅｒ  ＩＰ）上での通信動作を実行させるコンピュータプログラムにおいて、端末からの発呼要求に続いてＣＮＧ信号を検出するか否かを判定するステップと、前記ＣＮＧ信号が検出された場合には、あらかじめ装備された複数のオーディオコーデックから所定のコーデックを選択するステップと、相手先へ発呼要求をするときに前記選択された所定コーデックのみを含めて送信するステップと、を有することを特徴とする。
上述したように、本発明によれば、ＣＮＧ信号の検出の有無に従って発呼メッセージで通知するＣＯＤＥＣリストを変更することで、たとえばＦＡＸ通信の場合にＨ３２３端末がサポートする最大の帯域幅の音声チャネル（Ｇ７１１）を開設することができる。しかも、ＦＡＸ通信のための特別なプロトコル、ＣＯＤＥＣをＨ３２３端末に装備する必要がない。
また、Ｇ．７１１は、シンプル・エンドポイント・タイプのＨ３２３Ｆ端末の必須能力であるから、本実施形態のＨ３２３端末によって、Ｈ３２３Ｄ端末だけでなく、Ｈ３２３Ｆ端末へのＦＡＸ送信が可能となる。
さらに、上記実施形態では、ＦＡＸ通信時のみＧ．７１１（６４ｋｂｉｔ／ｓ）チャネルを使用し、通常の音声通話には他のＣＯＤＥＣ（たとえば、６．３ｋｂｐｓのＧ．７２３）を利用することができる。このために、ＩＰネットワークの帯域の有効利用が可能となる。
発明を実施するための最良の形態
第１図は、本発明によるファクシミリ通信装置を用いたＩＰネットワーク上でのファクシミリ通信システムの概略図である。
本発明によるＨ３２３端末１１にはファクシミリ／電話端末（以下、ＦＡＸ／ＴＥＬ端末という。）１２が接続されている。後述するように、Ｈ３２３端末１１は、ＦＡＸ／ＴＥＬ端末１２からの発呼がファクシミリ通信および電話通話のいずれであるかによってチャネル開設時のオーディオ能力（ＣＯＤＥＣ方式）を操作し、Ｈ３２３Ｄ機能を装備していないＨ３２３Ｆ端末１３に対するファクシミリ通信を可能にする。
第２図は、本発明によるファクシミリ通信装置の一実施形態であるＨ３２３端末の概略的内部構成図である。ＦＡＸ／ＴＥＬ端末１２は、ＲＪ−１１コネクタ１０１によってＨ３２３端末１１に接続されている。
Ｈ３２３端末１１には、ＲＪ−１１コネクタ１０１に接続されたアナログ−デジタル／デジタル−アナログ（ＡＤ／ＤＡ）変換器１０２が設けられ、ＡＤ／ＤＡ変換器１０２はファクシミリ送信時のＣＮＧ信号を検出するためのＣＮＧ検出器１０３と符号化／復号化器（ＣＯＤＥＣ）１０４とに接続されている。ＣＮＧ検出器１０３は、ＣＮＧ信号を検出すると、ＣＰＵ１０６へＣＮＧ信号を検出した旨を通知する。
ＣＯＤＥＣ１０４には必須のオーディオ能力であるＧ．７１１（６４ｋｂｐｓ）のほかにＧ．７２３（６．３ｋｂｐｓ）などのオーディオＣＯＤＥＣがあらかじめ装備されており、そのリストがＣＯＤＥＣリスト１０５に格納されている。ＣＯＤＥＣ１０４は、ＣＰＵ１０６の指示に従って選択されたＣＯＤＥＣを用いて、ＦＡＸ／ＴＥＬ端末１２からの信号をエンコードし、あるいは接続先から受信したコードをデコードする。
ＣＰＵ１０６はプログラム制御プロセッサであり、図示しないメモリに格納されたプログラムを実行することで、Ｈ３２３端末１１の標準的な動作およびファクシミリ通信動作を制御する。たとえば、後述するように、ＣＮＧ検出器１０３によってＣＮＧ信号が検出されると、ＣＰＵ１０６はＧ．７１１のＣＯＤＥＣを選択して接続先に対して発呼要求を行う。ＣＰＵ１０６はイーサネットコントローラ１０７に接続され、イーサネットコントローラ１０７によってインターネット等のＩＰネットワーク１０に接続する。
第３図は、本発明によるファクシミリ通信方法の一実施形態を示すフローチャートである。
まず、ＦＡＸ／ＴＥＬ端末１２がオフフックされ（ステップＳ２０１のＹＥＳ）、相手先の電話番号が入力されると（ステップＳ２０２のＹＥＳ）、ＣＰＵ１０６は、続いてＣＮＧ信号が検出されるかどうかを判断する（ステップＳ２０３）。ＦＡＸ／ＴＥＬ端末１２がＦＡＸ通信を行う場合には発呼要求に続いてＣＮＧ信号が送出される。従って、ＣＮＧ検出器１０３からＣＮＧ検出信号を受信すれば、ＦＡＸ通信であると判断できる。
ＣＮＧ信号が検出されると（ステップＳ２０３のＹＥＳ）、ＣＰＵ１０６はＧ．７１１（ここでは、μ則、６４ｋｂｉｔ／ｓ）のみを選択して能力交換用のＣＯＤＥＣリストを作成する（ステップ２０４）。
他方、ＣＮＧ信号が検出されない場合には（ステップＳ２０３のＮＯ）、通常の音声通話であると判断できる。そこで、ＣＰＵ１０６は、通常の能力交換手順に従い、Ｈ３２３端末がサポートしているＣＯＤＥＣからユーザが任意に指定したものを選択してＣＯＤＥＣリストを作成する（ステップ２０５）。
続いて、ＣＰＵ１０６は、ステップＳ２０４およびＳ２０５のいずれかで作成されたＣＯＤＥＣリストを発呼要求に含め、相手先へ送信する（ステップＳ２０６）。それに対して、相手先から接続要求の応答があれば（ステップＳ２０７のＹＥＳ）、能力交換により決定されたＣＯＤＥＣにて通信が開始される。
具体的には、ＣＮＧ信号が検出された場合にはＧ．７１１（μ則、６４ｋｂｉｔ／ｓ）によって高ビットレートのＦＡＸ通信が行われ、ＣＮＧ信号が検出されない場合には、たとえばＧ．７２３（６．３ｋｂｐｓ）によって音声通話が実行される。こうして、ＦＡＸ通信の場合、６４ｋビットレートのチャネルを開設して通信が行われる。
以上述べたステップＳ２０１〜Ｓ２０８からなるコンピュータプログラムをメモリに格納しておき、それを読み出してＣＰＵ１０６によって実行することで、本発明によるファクシミリ通信方法を実現することも可能である。
【図面の簡単な説明】
第１図は、本発明によるＶｏＩＰ端末を用いたＩＰネットワーク上でのファクシミリ通信システムの概略図であり、第２図は、本発明によるＶｏＩＰ端末の一実施形態であるＨ３２３端末の概略的内部構成図であり、第３図は、本発明によるＶｏＩＰ端末の通信方法の一実施形態を示すフローチャートである。
【図１】
2003081897.tif 000003
【図２】
2003081897.tif 000004
【図３】
2003081897.tif 000005
【国際調査報告】
2003081897.tif 000006
2003081897.tif 000007
2003081897.tif 000008
2003081897.tif 000009